(57)【要約】【課題】交流電圧の入力有無に関する信号を外部へ出力する電源装置等を提供する。【解決手段】電源装置１は、交流電圧が入力される入力端子ｔ１１、ｔ１２と、入力端子ｔ１１、ｔ１２に入力された交流電圧を整流して出力する第１整流回路２１と、第１整流回路２１から出力された電圧を変調して出力する変調回路２２と、変調回路２２から出力された電圧を伝達するトランス２３と、トランス２３から出力された電圧を平滑化する平滑回路２４と、平滑回路２４にて平滑化された電圧を出力する電源出力端子ｔ２１、ｔ２２と、トランス２３の１次側における交流電圧の入力の有無を検出する検出回路３０と、検出回路３０から交流電圧の入力の有無に関する信号を受け取って出力する信号出力端子ｔ３１、ｔ３２とを備える。【選択図】図３
2019146318.tif 000002
【特許請求の範囲】
【請求項１】
交流電圧が入力される入力端子と、
前記入力端子に入力された前記交流電圧を整流して出力する第１整流回路と、
前記第１整流回路から出力された電圧を変調して出力する変調回路と、
前記変調回路から出力された電圧を伝達するトランスと、
前記トランスから出力された電圧を平滑化する平滑回路と、
前記平滑回路にて平滑化された電圧を出力する電源出力端子と、
前記トランスの１次側における前記交流電圧の入力の有無を検出する検出回路と、
前記検出回路から前記交流電圧の入力の有無に関する信号を受け取って出力する信号出力端子と
を備える電源装置。
【請求項２】
前記検出回路は、前記入力端子と前記トランスの１次側とを結ぶ１次側配線経路上の分岐点と、前記信号出力端子とを結ぶ分岐配線経路上に配置されている
請求項１に記載の電源装置。
【請求項３】
前記分岐点は、前記１次側配線経路のうちの前記入力端子と前記第１整流回路との間の配線経路上に設けられ、
前記検出回路は、前記入力端子に入力された前記交流電圧を整流して出力する第２整流回路と、前記第２整流回路から出力される電圧の供給遮断を検出するフォトカプラとを備えている
請求項２に記載の電源装置。
【請求項４】
請求項１〜３のいずれか１項に記載の電源装置と、
前記電源出力端子から出力された電圧を受け取る、および、前記信号出力端子から出力された信号を受け取る、ならびに、外部通信端末との無線通信で受信した信号に基づいてスピーカに音を出力させる通信オーディオ制御回路と
を備え、
前記通信オーディオ制御回路は、前記信号出力端子を介して前記交流電圧の入力有無に関する切り替え信号を受け付けた場合に、前記外部通信端末との無線通信の接続動作を行う
オーディオ装置。
【請求項５】
前記通信オーディオ制御回路は、前記切り替え信号として、入力無から入力有への切り替え信号を受け付けた場合に、前記接続動作を行う
請求項４に記載のオーディオ装置。
【請求項６】
前記通信オーディオ制御回路は、前記接続動作として、前記外部通信端末とのペアリングを行うための動作を行う
請求項４または５に記載のオーディオ装置。
【請求項７】
前記検出回路は、前記入力端子に接続されたスイッチの切り入りに伴って発生する前記交流電圧の入力有無を検出する
請求項４〜６のいずれか１項に記載のオーディオ装置。
【請求項８】
さらに、
前記入力端子を介して前記交流電圧が入力される照明用電源装置と、
前記照明用電源装置に接続される点灯制御回路と、
前記点灯制御回路に接続される発光部と
を備える請求項７に記載のオーディオ装置。
【請求項９】
前記入力端子に接続されたスイッチは、前記照明用電源装置を切り入りするスイッチと共用されている
請求項８に記載のオーディオ装置。
【発明の詳細な説明】
【技術分野】
【０００１】
本開示は、交流電圧を直流電圧に変換して出力する電源装置、および、この電源装置を備えるオーディオ装置に関する。
【背景技術】
【０００２】
特許文献１は、スイッチング型の電源装置を開示している（特許文献１の図３参照）。この電源装置は、入力された交流電圧を整流する整流回路と、整流回路から出力された電圧を変調する変調回路と、変調回路から出力された電圧を伝達するトランスと、トランスから出力された電圧を平滑化する平滑回路とを備えている。また、特許文献１の電源装置は、電源装置内における過電圧を検知する電圧検知回路を備えている。この電源装置では、過電圧を検知した場合に、変調回路からトランスへの電圧出力を停止し、電源装置の各回路および電源装置に接続された負荷を保護している。
【先行技術文献】
【特許文献】
【０００３】
【特許文献１】特開平１０−３０９０７８号公報
【発明の概要】
【発明が解決しようとする課題】
【０００４】
本開示は、交流電圧の入力有無を検出して外部へ信号出力する電源装置、および、この電源装置を備えるオーディオ装置を提供する。
【課題を解決するための手段】
【０００５】
本開示における電源装置は、交流電圧が入力される入力端子と、前記入力端子に入力された前記交流電圧を整流して出力する第１整流回路と、前記第１整流回路から出力された電圧を変調して出力する変調回路と、前記変調回路から出力された電圧を伝達するトランスと、前記トランスから出力された電圧を平滑化する平滑回路と、前記平滑回路にて平滑化された電圧を出力する電源出力端子と、前記トランスの１次側における前記交流電圧の入力の有無を検出する検出回路と、前記検出回路から前記交流電圧の入力の有無に関する信号を受け取って出力する信号出力端子とを備える。
【０００６】
本開示におけるオーディオ装置は、上記記載の電源装置と、前記電源出力端子から出力された電圧を受け取る、および、前記信号出力端子から出力された信号を受け取る、ならびに、外部通信端末との無線通信で受信した信号に基づいてスピーカに音を出力させる通信オーディオ制御回路とを備え、前記通信オーディオ制御回路は、前記信号出力端子を介して前記交流電圧の入力有無に関する切り替え信号を受け付けた場合に、前記外部通信端末との無線通信の接続動作を行う。
【発明の効果】
【０００７】
本開示の電源装置は、交流電圧の入力有無を検出して外部へ信号出力するのに有効である。また、本開示のオーディオ装置は、交流電圧の入力有無に関する信号に基づいて無線通信の接続動作を行うのに有効である。
【図面の簡単な説明】
【０００８】
【図１】実施の形態に係るオーディオ装置を示す概略図である。
【図２】実施の形態に係る電源装置を備えるオーディオ装置を示すブロック構成図である。
【図３】実施の形態に係る電源装置の回路構成図である。
【発明を実施するための形態】
【０００９】
（実施の形態）
本実施の形態に係るオーディオ装置９は、例えば、ダウンライトなどの照明器具を含むオーディオ装置である。照明装置としてはダウンライトに限られず、シーリングライト等であってもよい。
【００１０】
図１は、本実施の形態のオーディオ装置９を示す概略図である。図２は、本実施の形態の電源装置１を備えるオーディオ装置９を示すブロック構成図である。なお図１には、オーディオ装置９のみではなく、オーディオ装置９、スイッチ３および外部通信端末５で構成されるオーディオシステムが示されている。
【００１１】
図１に示すように、オーディオ装置９は、開口部８ａを有する筐体８と、音を出すスピーカ４２と、光を出射する発光部６２とを備えている。筐体８は、例えば、造営材の一例である天井に設置されている。発光部６２は、例えばＬＥＤ（Ｌｉｇｈｔ  Ｅｍｉｔｔｉｎｇ  Ｄｉｏｄｅ）を有する発光モジュールであり、筐体８の開口部８ａに設けられている。スピーカ４２は、筐体８の内部に設けられ、具体的には、発光部６２の光の出射側とは反対側に配置されている。筐体８は、例えば、ポリブチレンテレフタレート樹脂などの樹脂材料によって形成されている。
【００１２】
また、オーディオ装置９は、スピーカ４２に接続されるオーディオ用回路Ａ１と、発光部６２に接続される照明用回路Ｌ１とを備えている。オーディオ用回路Ａ１および照明用回路Ｌ１のそれぞれは、箱型の筐体内に設けられている。オーディオ用回路Ａ１は、オーディオ用の電源装置１を有し、照明用回路Ｌ１は、照明用電源装置５０を有している（図２参照）。オーディオ用回路Ａ１および照明用回路Ｌ１は、配線を介して、壁に設置されたスイッチ３に接続されている。スイッチ３は例えば単投式であり、オーディオ用回路Ａ１と照明用回路Ｌ１とで共用されている。
【００１３】
オーディオ用回路Ａ１は、無線通信ｒ１によって、スマートフォンまたはタブレット端末などの外部通信端末５と通信可能である。無線通信ｒ１は、例えば、ブルートゥース（登録商標）などの近距離無線通信である。オーディオ用回路Ａ１は、外部通信端末５から音楽データなどのデジタル信号を受信し、受信した信号をアナログ信号に変換して、スピーカ４２へ出力する。無線通信ｒ１は、ブルートゥース（登録商標）に限られず、ＷｉＦｉ（登録商標）またはＺｉｇＢｅｅ（登録商標）であってもよい。
【００１４】
このオーディオ装置９において、無線通信ｒ１している外部通信端末５を他の外部通信端末に切り替え、すなわちペアリング相手（接続相手）を切り替えて、現在かけている音楽と異なる音楽をかけたい場合がある。その場合、例えばスイッチ３の切り入り操作を行うことによって、具体的にはオーディオ装置９への電力供給を一旦遮断し再び供給するという操作を行うことによって、ペアリング相手の再設定を行うことが可能となる。例えば、照明器具を含むオーディオ装置９では、スイッチ３の切り入り操作を短時間で行うことで、無線通信ｒ１する外部通信端末５を切り替え、他の外部通信端末から送信された音楽をかけることが可能である。
【００１５】
しかしながら、オーディオ用回路Ａ１の電源装置１は、コンデンサを含む平滑回路を有しており、スイッチ３の切り入り操作の時間が短すぎると（例えば３０ｍｓ以上１００ｍｓ以下）、電力供給が遮断されたことを検出することが困難となる。そのため、短時間のスイッチ３の切り入り操作では、オーディオ装置９にてペアリング相手の再設定を行うことができないことがある。
【００１６】
本実施の形態の電源装置１では、交流電圧の入力有無を検出し外部へ信号出力することができる構成を有している。これにより、オーディオ装置９におけるペアリング再設定等の接続動作を可能としている。
【００１７】
以下、適宜図面を参照しながら、電源装置１およびオーディオ装置９の実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、当業者が本開示を十分に理解するために添付図面および以下の説明を提供するのであって、これらによって特許請求の範囲に記載の主題を限定することを意図するものではない。
【００１９】
［１．オーディオ装置の構成］
次に、図２を参照しながらオーディオ装置９の構成について説明する。前述したように、オーディオ装置９は、オーディオ用回路Ａ１とスピーカ４２とを備えている。また、オーディオ装置９は、照明機能を有しており、照明用回路Ｌ１と発光部６２とを備えている。
【００２０】
オーディオ用回路Ａ１は、オーディオ用の電源装置１と、電源装置１に接続された通信オーディオ制御回路４１とを備えている。通信オーディオ制御回路４１には、スピーカ４２が接続されている。
【００２１】
電源装置１は、外部に設けられたスイッチ３に接続されている。スイッチ３が切り入りされることで、電源装置１への商業用の交流電圧の入力有無が切り替えられる。電源装置１は、入力された交流電圧を直流電圧に変換して通信オーディオ制御回路４１に出力する。
【００２２】
通信オーディオ制御回路４１は、例えば、ブルートゥース（登録商標）オーディオモジュールを含む。通信オーディオ制御回路４１は、電源装置１の電源出力端子ｔ２１、ｔ２２から出力された電圧を受け取る、また、外部通信端末５との無線通信ｒ１で受信した信号に基づいてスピーカ４２に音を出力させる回路である。
【００２３】
また、通信オーディオ制御回路４１は、電源装置１の信号出力端子ｔ３１、ｔ３２から出力された交流電圧の入力有無に関する信号を受け取って、予め決められた動作を行う。具体的には、通信オーディオ制御回路４１は、信号出力端子ｔ３１、ｔ３２を介して交流電圧の入力有無に関する切り替え信号を受け付けた場合に、外部通信端末５との無線通信ｒ１の接続動作を行う。
【００２４】
ここで、交流電圧の入力有無に関する切り替え信号とは、交流電圧が入力無から入力有に変化したことを示す信号である。また、接続動作とは、外部通信端末５と通信オーディオ制御回路４１との間で行われるペアリングである。なお、ペアリングとは、通信相手の識別情報等を互いに保存しあうことである。外部通信端末５と通信オーディオ制御回路４１とがペアリングすることで、通信オーディオ制御回路４１は、外部通信端末５から送信されたデジタル信号を受け付け、受け付けたデジタル信号の信号処理をすることができる。
【００２５】
照明用回路Ｌ１は、照明用電源装置５０と、照明用電源装置５０に接続された点灯制御回路６１とを備えている。照明用電源装置５０は、スイッチ３に接続されている。スイッチ３は、オーディオ用の電源装置１と照明用電源装置５０との両方を同時に切り入りするスイッチとして共用されている。
【００２６】
照明用電源装置５０は、交流電圧を直流電圧に変換して点灯制御回路６１に出力する。点灯制御回路６１は、発光部６２の発光を制御する。具体的には、点灯制御回路６１は、発光部６２に出力する電圧のパルス幅または電圧を制御することで、発光部６２を調光制御する。なお、発光部６２は、ＬＥＤを有する発光モジュールに限られず、白熱電球または蛍光灯であってもよい。
【００２７】
［２．電源装置の構成］
次に、図３を参照しながらオーディオ用の電源装置１について説明する。図３は、電源装置１の回路構成図である。
【００２８】
電源装置１は、入力された交流電圧を直流電圧に変換して出力する装置である。電源装置１は、第１整流回路２１、変調回路２２、トランス２３および平滑回路２４を含む電源回路２０と、検出回路３０とを備えている。また、電源装置１は、入力端子ｔ１１、ｔ１２と、電源出力端子ｔ２１、ｔ２２と、信号出力端子ｔ３１、ｔ３２とを備えている。
【００２９】
入力端子ｔ１１、ｔ１２は、商業用の交流電圧（例えばＡＣ１００Ｖ）が入力される端子である。一方の入力端子ｔ１１は、スイッチ３を介して交流電圧源に接続され、他方の入力端子ｔ１２は、上記交流電圧源に接続されている。
【００３０】
入力端子ｔ１１、ｔ１２とトランス２３の１次側とを結ぶ１次側配線経路１１上には、入力された交流電圧を分岐する分岐点１２、１３が設けられている。分岐点１２で分岐された交流電圧は、照明用回路Ｌ１に入力され、分岐点１３で分岐された交流電圧は、検出回路３０に入力される。
【００３１】
第１整流回路２１は、入力端子ｔ１１、ｔ１２に入力された交流電圧を整流して出力する回路である。第１整流回路２１は、１次側配線経路１１のうち、分岐点１３とトランス２３との間の配線経路上に設けられている。第１整流回路２１は、例えば、ダイオードブリッジによって構成される全波整流回路である。
【００３２】
１次側配線経路１１のうち第１整流回路２１とトランス２３との間には、コンデンサｃ１が設けられている。コンデンサｃ１は、第１整流回路２１から出力された脈流電圧を平滑化する。
【００３３】
変調回路２２は、第１整流回路２１から出力され、かつ、コンデンサｃ１にて平滑化された電圧をＰＷＭ（Pulse  Width  Modulation）変調して出力する回路である。変調回路２２は、スイッチング素子Ｔｒ１を高速でスイッチングする（オンおよびオフを繰り返す）回路である。スイッチング素子Ｔｒ１は、例えば、電界効果トランジスタである。
【００３４】
トランス２３は、１次側巻線および２次側巻線を有する変圧器である。トランス２３は、変調回路２２から出力されて１次側巻線に入力した電圧を、電気的に絶縁した状態で２次側巻線に伝達する。
【００３５】
平滑回路２４は、トランス２３から出力された電圧を平滑化する回路である。平滑回路２４は、トランス２３の２次側と電源出力端子ｔ２１、ｔ２２とを結ぶ２次側配線経路１６上に設けられている。トランス２３から出力された電圧は、ダイオードｄ１によって整流され、また、コンデンサｃ２によって平滑化される。コンデンサｃ２は、例えば電解コンデンサであり、コンデンサｃ１よりも容量が大きく、短時間では放電を終了しにくいコンデンサである。
【００３６】
電源出力端子ｔ２１、ｔ２２は、平滑回路２４にて平滑化された電圧を出力する端子である。電源出力端子ｔ２１、ｔ２２からは、例えば、１２Ｖの直流電圧（電源電圧）が出力される。電源出力端子ｔ２１、ｔ２２から出力された直流電圧は、通信オーディオ制御回路４１に入力される。
【００３７】
なお、平滑回路２４と電源出力端子ｔ２１、ｔ２２との間の配線経路には、２次側配線経路１６の電圧を検出するモニタ回路２５が設けられている。モニタ回路２５にて検出された電圧は、フォトカプラ２６を介して変調回路２２にフィードバックされる。そして変調回路２２にて、モニタ回路２５にて検出する電圧が一定となるように、スイッチング素子Ｔｒ１のスイッチングが制御される。なお、モニタ回路２５にて検出された電圧がフィードバックされる際、フォトカプラ２６は、検出した電圧を電気的に絶縁した状態で変調回路２２に出力する。
【００３８】
検出回路３０は、トランス２３の１次側における交流電圧の入力の有無を検出する回路である。具体的には、検出回路３０は、入力端子ｔ１１に接続されたスイッチ３の切り入りに伴って発生する交流電圧の入力有無を検出する。
【００３９】
検出回路３０は、１次側配線経路１１上の分岐点１３と、信号出力端子ｔ３１、ｔ３２とを結ぶ分岐配線経路１４上に配置されている。分岐点１３は、１次側配線経路１１のうち、入力端子ｔ１１、ｔ１２と第１整流回路２１とを結ぶ配線経路上に設けられている。
【００４０】
検出回路３０は、入力端子ｔ１１、ｔ１２から分岐点１３を介して入力された交流電圧を整流して出力する第２整流回路３２と、第２整流回路３２から出力される電圧の供給遮断を検出するフォトカプラ３３とを有している。第２整流回路３２は、分岐点１３に接続されている。フォトカプラ３３は、分岐配線経路１４のうち、第２整流回路３２と信号出力端子ｔ３１、ｔ３２との間の配線経路上に配置されている。フォトカプラ３３は、交流電圧の入力有無に関する信号を、電気的に絶縁した状態で信号出力端子ｔ３１、ｔ３２へ出力する。本実施の形態では、分岐配線経路１４上に平滑回路が設けられていない。
【００４１】
信号出力端子ｔ３１、ｔ３２は、検出回路３０で検出した交流電圧の有無に関する信号を、検出回路３０から受け取って出力する端子である。信号出力端子ｔ３１、ｔ３２からは、電源出力端子ｔ２１、ｔ２２から出力される電圧よりも低い電圧（例えば３Ｖ）が出力される。なお、信号出力端子ｔ３１、ｔ３２、および、前述した電源出力端子ｔ２１、ｔ２２は、同じ１つのコネクタを介して、通信オーディオ制御回路４１のコネクタに接続される。
【００４２】
このように電源装置１は、トランス２３の１次側における交流電圧の入力の有無を検出回路３０で検出し、検出した交流電圧の有無に関する信号を信号出力端子ｔ３１、ｔ３２を介して通信オーディオ制御回路４１に伝達する回路構成を有している。そのため、トランス２３の２次側における電圧の出力の有無を検出することが困難な場合であっても、検出回路３０および信号出力端子ｔ３１、ｔ３２を用いて電圧の入力の有無に関する信号を通信オーディオ制御回路４１に伝達することができる。これにより、例えば、オーディオ装置９と外部通信端末５との接続動作（ペアリング）を行うきっかけをつくることができる。
【００４３】
なお、通信オーディオ制御回路４１は、信号出力端子ｔ３１、ｔ３２を介して電圧の入力の有無に関する信号を受け取ると、無線通信ｒ１を用いて自身とペアリング可能な外部の機器を探し出す。オーディオ装置９は、探し出した機器からペアリングの要求があった場合に、その機器とペアリングする。
【００４４】
［３．効果等］
以上のように、本実施の形態に係る電源装置１は、交流電圧が入力される入力端子ｔ１１、ｔ１２と、入力端子ｔ１１、ｔ１２に入力された交流電圧を整流して出力する第１整流回路２１と、第１整流回路２１から出力された電圧を変調して出力する変調回路２２と、変調回路２２から出力された電圧を伝達するトランス２３と、トランス２３から出力された電圧を平滑化する平滑回路２４と、平滑回路２４にて平滑化された電圧を出力する電源出力端子ｔ２１、ｔ２２と、トランス２３の１次側における交流電圧の入力の有無を検出する検出回路３０と、検出回路３０から交流電圧の入力の有無に関する信号を受け取って出力する信号出力端子ｔ３１、ｔ３２とを備える。
【００４５】
これによれば、トランス２３の１次側における交流電圧の入力の有無を検出回路３０で検出し、検出した交流電圧の有無に関する信号を信号出力端子ｔ３１、ｔ３２を介して外部の機器に伝達することができる。そのため、外部の機器にてトランス２３の２次側における電圧の出力の有無を検出することが困難な場合であっても、電圧の入力の有無に関する信号を外部の機器に伝達することができる。
【００４６】
また、電源装置１の検出回路３０は、入力端子ｔ１１、ｔ１２とトランス２３の１次側とを結ぶ１次側配線経路１１上の分岐点１３と、信号出力端子ｔ３１、ｔ３２とを結ぶ分岐配線経路１４上に配置されていてもよい。
【００４７】
これによれば、１次側配線経路１１から分岐した分岐配線経路１４上の検出回路３０によって、交流電圧の入力の有無を安定して検出することができる。これにより、電圧の入力の有無に関する信号を外部の機器に伝達することができる。
【００４８】
また、上記分岐点１３は、１次側配線経路１１のうちの入力端子ｔ１１、ｔ１２と第１整流回路２１との間の配線経路上に設けられ、検出回路３０は、入力端子ｔ１１、ｔ１２に入力された交流電圧を整流して出力する第２整流回路３２と、第２整流回路３２から出力される電圧の供給遮断を検出するフォトカプラ３３とを備えていてもよい。
【００４９】
このように、検出回路３０がフォトカプラ３３を備えることで、入力電圧と絶縁した状態で、すなわち安全な状態で電圧の供給遮断に関する信号を信号出力端子ｔ３１、ｔ３２に出力することができる。これにより、電圧の入力の有無に関する信号を外部の機器に伝達することができる。
【００５０】
なお、電源装置１では、トランス２３にて１次側と２次側とが絶縁され、フォトカプラ２６にてモニタ回路２５と変調回路２２とが絶縁され、および、フォトカプラ３３にて第２整流回路３２と信号出力端子ｔ３１、ｔ３２とが絶縁された回路構成を有している。これにより、電源出力端子ｔ２１、ｔ２２および信号出力端子ｔ３１、ｔ３２が、交流電圧源に対して絶縁され、通信オーディオ制御回路４１およびスピーカ４２を保護することができる。
【００５１】
本実施の形態に係るオーディオ装置９は、上記電源装置１と、電源出力端子ｔ２１、ｔ２２から出力された電圧を受け取る、および、信号出力端子ｔ３１、ｔ３２から出力された信号を受け取る、ならびに、外部通信端末５との無線通信ｒ１によって受信した信号に基づいてスピーカ４２に音を出力させる通信オーディオ制御回路４１とを備え、通信オーディオ制御回路４１は、信号出力端子ｔ３１、ｔ３２を介して交流電圧の入力有無に関する切り替え信号を受け付けた場合に、外部通信端末５との無線通信ｒ１の接続動作を行う。
【００５２】
これによれば、通信オーディオ制御回路４１が、電源装置１で検出した交流電圧の有無に関する信号を信号出力端子ｔ３１、ｔ３２を介して取得することができる。そのため、トランス２３の２次側における電圧の出力の有無を検出することが困難である場合であっても、１次側において電圧の入力の有無に関する信号を取得し、外部通信端末５との接続動作を行うことができる。
【００５３】
また、通信オーディオ制御回路４１は、上記切り替え信号として、入力無から入力有への切り替え信号を受け付けた場合に、上記接続動作を行ってもよい。
【００５４】
これによれば、通信オーディオ制御回路４１が、入力無から入力有への切り替え信号を信号出力端子ｔ３１、ｔ３２を介して取得することができる。そのため、トランス２３の２次側における電圧の出力の有無を検出することが困難な場合であっても、１次側における電圧の入力の有無に関する信号を取得し、外部通信端末５との接続動作を行うことができる。
【００５５】
また、通信オーディオ制御回路４１は、上記接続動作として、外部通信端末５とのペアリングを行うための動作を行ってもよい。
【００５６】
これによれば、オーディオ装置９と外部通信端末５とのペアリングを容易に切り替えることができる。
【００５７】
また、検出回路３０は、入力端子ｔ１１、ｔ１２に接続されたスイッチ３の切り入りに伴って発生する交流電圧の入力有無を検出してもよい。
【００５８】
これによれば、スイッチ３の切り入りをきっかけとして、オーディオ装置９と外部通信端末５との接続動作の切り替えを行うことができる。
【００５９】
またオーディオ装置９は、さらに、入力端子ｔ１１、ｔ１２を介して交流電圧が入力される照明用電源装置５０と、照明用電源装置５０に接続される点灯制御回路６１と、点灯制御回路６１に接続される発光部６２とを備えていてもよい。
【００６０】
これによれば、照明機能を有するオーディオ装置９を提供することができる。
【００６１】
また、入力端子ｔ１１、ｔ１２に接続されたスイッチ３は、照明用電源装置５０を切り入りするスイッチと共用されていてもよい。
【００６２】
これによれば、スイッチ３の数を減らし、オーディオ装置９の操作を簡略化することができる。
【００６３】
（他の実施の形態）
以上のように、本開示における技術の例示として、実施の形態を説明した。そのために、添付図面および詳細な説明を提供した。
【００６４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６５】
また、上述の実施の形態は、本開示における技術を例示するためのものであるから、特許請求の範囲またはその均等の範囲において種々の変更、置き換え、付加、省略などを行うことができる。
【００６６】
例えば、商業用の交流電圧はＡＣ１００Ｖに限られず、ＡＣ２００Ｖであってもよい。電源装置１から出力される直流電圧は、１２Ｖに限られず、２４Ｖまたは５Ｖであってもよい。
【００６７】
例えば、入力端子ｔ１１、ｔ１２と分岐点１３との間に、コモンモードノイズ除去用のフィルタ回路が設けられていてもよい。
【００６８】
例えば、スイッチ３は、必ずしもオーディオ用の電源装置１と照明用電源装置５０とで共用されていなくてもよく、電源装置１および照明用電源装置５０のそれぞれが、異なるスイッチに接続されていてもよい。また、スイッチ３の切り入り操作の検出回数によって、オーディを装置９に異なる動作をさせるようにしてもよい。
【００６９】
より具体的には、所定時間以内（例えば３００ｍｓｅｃ以内）の間隔で連続して切り入り操作がなされた回数（交流電圧の入力有無に関する切り替え信号を受け付けた回数）を検出し、その回数によって異なる動作をさせるようにしてもよい。例えば、切り入り回数が１回の場合は、外部通信端末５との無線通信ｒ１の接続動作を行い、切り入り回数が３回の場合は、通信オーディオ制御回路４１に含まれるアンプの特性の切り換え動作を行うようにしてもよい。
【産業上の利用可能性】
【００７０】
本開示は、例えば、オーディオ装置などに用いられる電源装置に適用可能である。
【符号の説明】
【００７１】
１      電源装置
３      スイッチ
５      外部通信端末
８      筐体
８ａ    開口部
９      オーディオ装置
１１    １次側配線経路
１２、１３  分岐点
１４    分岐配線経路
１６    ２次側配線経路
２０    電源回路
２１    第１整流回路
２２    変調回路
２３    トランス
２４    平滑回路
２５    モニタ回路
２６    フォトカプラ
３０    検出回路
３２    第２整流回路
３３    フォトカプラ
４１    通信オーディオ制御回路
４２    スピーカ
５０    照明用電源装置
６１    点灯制御回路
６２    発光部
Ａ１    オーディオ用回路
ｃ１、ｃ２  コンデンサ
ｄ１    ダイオード
Ｌ１    照明用回路
ｒ１    無線通信
Ｔｒ１  スイッチング素子
ｔ１１、ｔ１２  入力端子
ｔ２１、ｔ２２  電源出力端子
ｔ３１、ｔ３２  信号出力端子
【図１】
2019146318.tif 000003
【図２】
2019146318.tif 000004
【図３】
2019146318.tif 000005